(57)【要約】【課題】  扱い易い鞄を提供する。【解決手段】  表面部１１と、表面部と対峙する裏面部１２と、左右一対の側面部１３，１４と、表面部、裏面部及び一対の側面部の下端によって囲まれる領域を閉塞する底面部１５とを有し、表面部及び裏面部の幅寸法は一対の側面部の幅寸法よりも短く形成され、店舗内用買い物かごの内側に装着可能な大きさに形成されている収容部１と、表面部の上部及び裏面部の上部の少なくとも何れか一方に設けられた提げユニット５と、表面部の上端部と裏面部の上端部とを互いに係合させる係合部２と、を備える。【選択図】      図１
2018068569.tif 000002
【特許請求の範囲】
【請求項１】
表面部と、前記表面部と対峙する裏面部と、左右一対の側面部と、前記表面部、前記裏面部及び前記一対の側面部の下端によって囲まれる領域を閉塞する底面部とを有し、前記表面部及び前記裏面部の幅寸法は前記一対の側面部の幅寸法よりも短く形成され、店舗内用買い物かごの内側に装着可能な大きさに形成されている収容部と、
前記表面部の上部及び前記裏面部の上部の少なくとも何れか一方に設けられた提げユニットと、
前記表面部の上端部と前記裏面部の上端部とを互いに係合させる係合部と、を備える鞄。
【請求項２】
前記一対の側面部の上縁部の一端部から他端部に亘る領域にそれぞれ設けられた筒状の一対の紐通し部と、前記一対の紐通し部にそれぞれ挿通された一対の調節紐であって、各前記調節紐は一端部が対応する前記紐通し部の一端部に止着され、他端部が対応する前記紐通し部の他端部に止着されている一対の調整紐と、前記一対の紐通し部の延在方向中央部にそれぞれ形成され、対応する前記調整紐の中間部が対応する前記紐通し部から延出される一対の紐延出孔と、を有する絞り機構を更に備える、請求項１に記載の鞄。
【請求項３】
前記裏面部の外側面に取り付けられている左右一対の肩ベルトを更に備える、請求項１又は２に記載の鞄。
【請求項４】
前記裏面部の外側に設けられ、上端に開口部を有する肩ベルト収容部を更に備え、
前記一対の肩ベルトは、各上端部が前記裏面部の外側面且つ前記肩ベルト収容部の前記開口部の近傍に取り付けられ、各下端部が前記裏面部の外側面の下部に係脱可能に取り付けられている、請求項３に記載の鞄。
【請求項５】
前記係合部は、前記表面部の上端縁及び前記裏面部の上端縁に設けられた一対のファスナーエレメント列と、前記一対のファスナーエレメント列を噛合・分離させるスライダとを含むスライドファスナーである、請求項３又は４に記載の鞄。
【請求項６】
互いに平行に延在する左右一対の補強ベルト体であって、各補強ベルト体は一端部が前記表面部の外側面の上部に位置し、他端部が前記裏面部の外側面の上部且つ前記一端部と対峙する位置に位置し、中間部が前記表面部、前記底面部及び前記裏面部に巻回されて取り付けられている一対の補強ベルト体と、を更に備え、
前記提げユニットは、前記一対の補強ベルト体の前記一端部を互いに連結する表面側提げ部と、前記一対の補強ベルト体の前記他端部を互いに連結する裏面側提げ部と、を含む請求項１乃至５の何れかに記載の鞄。
【請求項７】
前記表面側提げ部は、中間部に折返し部を有する提げベルト体を含み、該提げベルト体の一端部が前記一対の補強ベルト体の前記一端部のうち一方の前記補強ベルト体の前記一端部と一体的に形成され、
前記裏面側提げ部は、中間部に折返し部を有する提げベルト体を含み、該提げベルト体の一端部が前記一対の補強ベルト体の前記他端部のうち一方の前記補強ベルト体の前記他端部と一体的に形成され、
前記提げユニットは、前記一対の補強ベルト体の前記一端部のうち他方の前記補強ベルト体の前記一端部に取り付けられ、前記表面側提げ部の前記折返し部を係止可能である表面側ベルト長さ調整具と、前記一対の補強ベルト体の前記他端部のうち他方の前記補強ベルト体の前記他端部に取り付けられ、前記裏面側提げ部の前記折返し部を係止可能である裏面側ベルト長さ調整具と、を更に含む、請求項６に記載の鞄。
【請求項８】
前記提げユニットは、前記表面側提げ部及び前記裏面側提げ部の前記提げベルト体の他端部を該提げベルト体の一端部に留める留め具を更に含む、請求項７に記載の鞄。
【発明の詳細な説明】
【技術分野】
【０００１】
本発明は、鞄に関する。
【背景技術】
【０００２】
従来から買い物用バッグが知られている（例えば特許文献１参照）。
【０００３】
この買い物用バックは、レジかご内に装着できる大きさに形成した平面視長方形のバッグ部と、バッグ部に取り付けられた手提げ又は肩掛け用の提げ部を備えている。これによって、提げ部を用いて手又は肩から提げることができる。
【先行技術文献】
【特許文献】
【０００４】
【特許文献１】登録実用新案第３１９６９０５号公報
【発明の概要】
【発明が解決しようとする課題】
【０００５】
しかし、特許文献１に記載の鞄は、提げ部を用いて手又は肩から提げたときに鞄の幅が大きくなり、取り扱いに難点があるという問題があった。
【課題を解決するための手段】
【０００６】
上記課題を解決するため、本発明のある態様に係る鞄は、表面部と、前記表面部と対峙する裏面部と、左右一対の側面部と、前記表面部、前記裏面部及び前記一対の側面部の下端によって囲まれる領域を閉塞する底面部とを有し、前記表面部及び前記裏面部の幅寸法は前記一対の側面部の幅寸法よりも短く形成され、店舗内用買い物かごの内側に装着可能な大きさに形成されている収容部と、前記表面部の上部及び前記裏面部の上部の少なくとも何れか一方に設けられた提げユニットと、前記表面部の上端部と前記裏面部の上端部とを互いに係合させる係合部と、を備える。
【０００７】
この構成によれば、鞄を提げた際の幅寸法を小さくすることができ、鞄を扱い易いものとすることができる。
【０００８】
前記一対の側面部の上縁部の一端部から他端部に亘る領域にそれぞれ設けられた筒状の一対の紐通し部と、前記一対の紐通し部にそれぞれ挿通された一対の調節紐であって、各前記調節紐は一端部が対応する前記紐通し部の一端部に止着され、他端部が対応する前記紐通し部の他端部に止着されている一対の調整紐と、前記一対の紐通し部の延在方向中央部にそれぞれ形成され、対応する前記調整紐の中間部が対応する前記紐通し部から延出される一対の紐延出孔と、を有する絞り機構を更に備えてもよい。
【０００９】
この構成によれば、鞄を提げたときに側面部の上縁部が垂れ下がることを防止することができ、収容物のはみ出しを防止することができる。
【００１０】
前記裏面部の外側面に取り付けられている左右一対の肩ベルトを更に備えていてもよい。
【００１１】
この構成によれば、鞄をリュックサックとして背負うことができ、使用者の身体への負担を和らげることができる。また、鞄をリュックサックとして背負った使用者の上腕が鞄の裏面部の幅方向の端部との干渉を抑制することができ、鞄を扱い易いものとすることができる。
【００１２】
前記裏面部の外側に設けられ、上端に開口部を有する肩ベルト収容部を更に備え、前記一対の肩ベルトは、各上端部が前記裏面部の外側面且つ前記肩ベルト収容部の前記開口部の近傍に取り付けられ、各下端部が前記裏面部の外側面の下部に係脱可能に取り付けられていてもよい。
【００１３】
この構成によれば、提げユニットを用いて鞄を手又は肩から提げたときに、肩ベルトが邪魔になることを防止することができる。
【００１４】
前記係合部は、前記表面部の上端縁及び前記裏面部の上端縁に設けられた一対のファスナーエレメント列と、前記一対のファスナーエレメント列を噛合・分離させるスライダとを含むスライドファスナーであってもよい。
【００１５】
この構成によれば、鞄をリュックサックとして背負ったときに、収容物の重さに負けて係合部が外れ、開口部が不意に開くことを効果的に防止することができる。
【００１６】
互いに平行に延在する左右一対の補強ベルト体であって、各補強ベルト体は一端部が前記表面部の外側面の上部に位置し、他端部が前記裏面部の外側面の上部且つ前記一端部と対峙する位置に位置し、中間部が前記表面部、前記底面部及び前記裏面部に巻回されて取り付けられている一対の補強ベルト体と、を更に備え、前記提げユニットは、前記一対の補強ベルト体の前記一端部を互いに連結する表面側提げ部と、前記一対の補強ベルト体の前記他端部を互いに連結する裏面側提げ部と、を含んでいてもよい。
【００１７】
この構成によれば、重量物を運搬した際の鞄の型崩れを防止することができる。
【００１８】
前記表面側提げ部は、中間部に折返し部を有する提げベルト体を含み、該提げベルト体の一端部が前記一対の補強ベルト体の前記一端部のうち一方の前記補強ベルト体の前記一端部と一体的に形成され、前記裏面側提げ部は、中間部に折返し部を有する提げベルト体を含み、該提げベルト体の一端部が前記一対の補強ベルト体の前記他端部のうち一方の前記補強ベルト体の前記他端部と一体的に形成され、前記提げユニットは、前記一対の補強ベルト体の前記一端部のうち他方の前記補強ベルト体の前記一端部に取り付けられ、前記表面側提げ部の前記折返し部を係止可能である表面側ベルト長さ調整具と、前記一対の補強ベルト体の前記他端部のうち他方の前記補強ベルト体の前記他端部に取り付けられ、前記裏面側提げ部の前記折返し部を係止可能である裏面側ベルト長さ調整具と、を更に含んでいてもよい。
【００１９】
この構成によれば、提げユニットの長さ調節を鞄の上側から容易に行うことができる。
【００２０】
前記提げユニットは、前記表面側提げ部及び前記裏面側提げ部の前記提げベルト体の他端部を該提げベルト体の一端部に留める留め具を更に含んでいてもよい。
【００２１】
この構成によれば、提げベルト体を重ねて保持することができ、提げユニットを持ち易いものとすることができる。
【発明の効果】
【００２２】
本発明は、鞄を扱い易いものとすることができるという効果を奏する。
【図面の簡単な説明】
【００２３】
【図１】本発明の実施の形態に係る鞄の構成例を示す斜視図である。
【図２】図１の鞄の構成例を示す背面図である。
【図３】図１の鞄の構成例を示す斜視図であり、鞄を開いた状態を示す図である。
【図４】図１の鞄の使用例を示す説明図である。
【図５】図１の鞄の使用例を示す説明図である。
【図６】図１の鞄の使用例を示す説明図である。
【図７】図１の鞄の使用例を示す説明図である。
【図８】図１の鞄の使用例を示す説明図である。
【発明を実施するための形態】
【００２４】
以下、本発明の実施の形態について、図面を参照しながら説明する。なお、本実施の形態によって本発明が限定されるものではない。また、以下では、全ての図を通じて、同一又は相当する要素には同一の参照符号を付して、その重複する説明を省略する。
【００２５】
（実施の形態）
図１は、本発明の実施の形態に係る鞄１００の構成例を示す斜視図である。図２は、本発明の実施の形態に係る鞄１００の構成例を示す背面図である。図２においては、後述する通り、肩ベルト６を肩ベルト収容部７から取り出し、肩ベルト６の下端部を裏面部１２の外側面の下部に連結した状態を示している。図３は、本発明の実施の形態に係る鞄１００の構成例を示す斜視図であり、鞄１００を開いた状態を示す図である。図４は、鞄１００の使用例を示す説明図であり、鞄１００を買い物かご１１０に装着した状態を示す図である。
【００２６】
図４に示すように、鞄１００は、例えば、スーパーマーケット等の店舗内において、買い物客が商品を運ぶために用いる店舗内用買い物かご１１０の内側に装着可能な大きさに形成されている鞄である。通常買い物かご１１０の収容部は、平面視略長方形に形成され、一対の長辺側の側面１１１と一対の短辺側の側面１１２とを有している。そして、買い物かご１１０は、底面から上方の開口部に向かうに従って拡がるように形成されている。買い物客は、チェックアウトカウンター（レジカウンター）において、チェックアウト済みの商品を収容するための買い物かご１１０にチェックアウト済みの商品を入れるよりも前に予め鞄１００を被せて装着しておくことによって、その後、商品をこの買い物かご１１０から更にレジ袋に詰め替える手間を省くことができると共に、レジ袋の使用量を削減することができる。これによって、コスト削減及び環境負荷の低減を図ることができる。なお、鞄１００は、買い物用途に限定されるものではなく、日常の様々な物品の運搬収納用途に用いることができるものであるが、日常の局面において頻度の高い買い物にも適合した鞄とすることによって、日常の様々な局面において高い頻度で使用することができる鞄である。
【００２７】
図１、図２、図３に示すように、鞄１００は、収容部１と、係合部２と、絞り機構３と、左右一対の補強ベルト体４と、提げユニット５と、左右一対の肩ベルト６と、肩ベルト収容部７とを備える。
【００２８】
図３に示すように、収容部１は、例えば商品等の物品を収容することができるように構成され、買い物かご１１０の内側に装着することができるように構成されている。収容部１は、例えば柔軟な複数の布地を互いに縫合することによって形成した縫製物である。しかし、これに限定されるものではなく、編物であってもよい。収容部１は、表面部１１と、裏面部１２と、左側面部１３及び右側面部１４（左右一対の側面部）と、底面部１５とを含む。収容部１を構成する布地の形状は、特に限定されない。例えば、表面部１１及び底面部１５を一枚の布地で形成してもよい。また、収容部１の内側に裏地を設けてもよい。
【００２９】
表面部１１は、矩形に形成されている（図１も参照）。また、表面部１１は、買い物かご１１０の短辺側の側面１１２と同程度の大きさに形成され、鞄１００を買い物かご１１０に被せて装着したときに、買い物かご１１０の短辺側の側面１１２と対峙して位置する部分である。以下では、表面部１１に向かって左方向を左といい、右方向を右ということがある。
【００３０】
裏面部１２は、矩形に形成されている（図２も参照）。また、裏面部１２は、表面部１１と対峙して位置し、表面部１１と略同一の大きさに形成されている。
【００３１】
図３に示すように、左右一対の側面部、すなわち左側面部１３及び右側面部１４は、倒立台形状に形成されている。また、左側面部１３及び右側面部１４は、それぞれ買い物かご１１０の長辺側の側面１１１と同程度の大きさに形成され、鞄１００を買い物かご１１０に被せて装着したときに、買い物かご１１０の長辺側の側面１１１と対峙して位置する部分である。
【００３２】
左側面部１３は、表面部１１の左側縁と裏面部１２の左側縁とを互いに連結する。すなわち、左側面部１３の表面部１１側の側縁は表面部１１の左側縁に連なり、左側面部１３の裏面部１２側の側縁は裏面部１２の左側縁に連なっている。
【００３３】
右側面部１４は、表面部１１の右側縁と裏面部１２の右側縁とを互いに連結する。すなわち、右側面部１４の表面部１１側の側縁は表面部１１の右側縁に連なり、右側面部１４の裏面部１２側の側縁は裏面部１２の右側縁に連なっている。表面部１１、裏面部１２、左側面部１３及び右側面部１４の上縁部に囲まれる領域が収容部１の開口部１ａを構成する。
【００３４】
底面部１５は、表面部１１の下端、裏面部１２の下端、左側面部１３の下端、右側面部１４の下端によって囲まれる領域を閉塞する。すなわち、底面部１５は、周縁が表面部１１の下端、裏面部１２の下端、左側面部１３の下端、右側面部１４の下端に連なり、収容部１の底面を構成している。
【００３５】
このように、収容部１は、鞄１００を拡げた際に略箱状になるように形成され、収容部１の高さ寸法は、買い物かご１１０の高さ寸法と同程度または買い物かご１１０の高さ寸法よりも大きく形成されている。そして、鞄１００の収容部１は、表面部１１及び裏面部１２を買い物かご１１０の短辺側の側面１１２の内側に位置させると共に、左側面部１３及び右側面部１４を買い物かご１１０の長辺側の側面１１１の内側に位置させて買い物かご１１０の内側に装着可能な大きさに形成されている。すなわち、表面部１１及び裏面部１２の幅寸法は、左側面部１３及び右側面部１４の幅寸法よりも短く形成され、表面部１１及び裏面部１２は一対の短辺側の側面を構成し、左側面部１３及び右側面部１４は一対の長辺側の側面を構成している。そして、収容部１の開口部１ａは、買い物かご１１０の上側開口部と同程度の大きさに形成されている。また、左側面部１３及び右側面部１４は、倒立台形状に形成されているので、収容部１は底面部１５から開口部１ａに向かうに従って拡がる形状となり、同様に構成されている買い物かご１１０に好適に装着することができ、大容量を実現している。
【００３６】
図１及び図３に示すように、係合部２は、表面部１１の上端部と裏面部１２の上端部とを互いに係合させるように構成されている。係合部２は、例えばスライドファスナー２１である。
【００３７】
図３に示すように、スライドファスナー２１は、周知のスライドファスナーで構成され、表面側ファスナーエレメント列２２と、裏面側ファスナーエレメント列２３と、スライダ２４とを含む。表面側ファスナーエレメント列２２と裏面側ファスナーエレメント列２３とが対をなし、一対のファスナーエレメント列を構成している。表面側ファスナーエレメント列２２は、表面部１１の上端縁に設けられたファスナーエレメント列である。裏面側ファスナーエレメント列２３は、裏面部１２の上端縁に設けられたファスナーエレメント列である。スライダ２４は、表面側ファスナーエレメント列２２及び裏面側ファスナーエレメント列２３を噛合・分離させるように構成されている。
【００３８】
絞り機構３は、左側面部１３及び右側面部１４の上縁部をその延在方向（表面部１１と裏面部１２とが向かい合う方向）に絞り、表面部１１の上縁と裏面部１２の上縁の距離を変化させることができる（すなわち、縮めたり伸ばしたりすることができる）機構である。絞り機構３は、左側面部１３及び右側面部１４のそれぞれに設けられた一対の紐通し部３１と、左側面部１３及び右側面部１４のそれぞれに設けられた一対の調節紐３２と、左側面部１３及び右側面部１４のそれぞれに設けられた一対の紐延出孔３３と、左側面部１３及び右側面部１４のそれぞれに設けられた一対のストッパー３４とを含む。左側面部１３及び右側面部１４のそれぞれに設けられた紐通し部３１が一対の紐通し部３１を構成する。左側面部１３及び右側面部１４のそれぞれに設けられた調節紐３２が一対の調節紐３２を構成する。左側面部１３及び右側面部１４のそれぞれに設けられた紐延出孔３３が一対の紐延出孔３３を構成する。左側面部１３及び右側面部１４のそれぞれに設けられたストッパー３４が一対のストッパー３４を構成する。
【００３９】
以下、代表して右側面部１４の絞り機構３について説明し、左側面部１３の絞り機構３については、括弧内に名称及び符号を記す。
【００４０】
紐通し部３１は、右側面部１４（左側面部１３）の上縁部の一端部から他端部に亘る領域に設けられ、筒状に形成されている。すなわち、紐通し部３１は、右側面部１４（左側面部１３）の上縁部の表面部１１側の端部と右側面部１４（左側面部１３）の上縁部の裏面部１２側の端部との間に介在し、表面部１１の上縁部と裏面部１２の上縁部とを接続している。紐通し部３１は、例えば右側面部１４（左側面部１３）を構成する布地の上縁を内側に折り返して形成される。
【００４１】
調節紐３２は、実質的に伸縮性を有しない紐であり、例えばナイロン製である。調節紐３２の長さ寸法は、右側面部１４（左側面部１３）の上縁部の長さ寸法よりも十分に大きく規定されている。調節紐３２は、紐通し部３１に挿通されている。調節紐３２は、一端部、すなわち表面部１１側の端部が右側面部１４（左側面部１３）の紐通し部３１の一端部、すなわち右側面部１４（左側面部１３）の表面部１１側の端部に止着され、他端部、すなわち裏面部１２側の端部が右側面部１４（左側面部１３）の紐通し部３１の他端部、すなわち右側面部１４（左側面部１３）の裏面部１２側の端部に止着されている。調節紐３２の長さ寸法は、紐通し部３１の長さ寸法よりも大きく形成されている。
【００４２】
紐延出孔３３は、紐通し部３１の内部空間と外部空間とを接続するように形成された孔であり、例えばハトメ孔である。紐延出孔３３は、紐通し部３１の延在方向中央部に形成され、紐通し部３１に挿通されている調節紐３２の中間部が延出される孔である。紐通し部３１の内部空間から紐延出孔３３を通って延出する調節紐３２は、折り返されて再び紐延出孔３３を通り紐通し部３１の内部空間に延びている。
【００４３】
ストッパー３４は、調節紐３２の紐延出孔３３から延出している部分、すなわち調節紐３２の中間部に装着され、調節紐３２の中間部の任意の位置に係止することができるように構成されている。ストッパー３４は、紐延出孔３３よりも大きく構成されており、調節紐３２に係止することにより、紐延出孔３３を通って紐通し部３１から延出している調節紐３２の中間部が、紐通し部３１に入り込まないように規制することができる。また、ストッパー３４は、調節紐３２への係止を解除することにより、調節紐３２の延在方向にスライドさせ、取付位置を変更することができるように構成されている。
【００４４】
このように、ストッパー３４は、紐延出孔３３から延出している調節紐３２の中間部の長さ寸法を調整することができ、これによって、紐通し部３１の内部空間において延在する調節紐３２の長さ寸法を調整することができる。そして、紐通し部３１の内部空間において延在する調節紐３２の長さ寸法が長くなるようにストッパー３４の係止位置を調整すると、紐通し部３１がその長さ方向に拡がって伸長し、右側面部１４（左側面部１３）の長さ寸法を大きくすることができる。これによって、収容部１の開口部１ａを拡げることができ、鞄１００の買い物かご１１０への装着を容易に行うことができる。また、紐通し部３１の内部空間において延在する調節紐３２の長さ寸法が短くなるようにストッパー３４の係止位置を調整すると、紐通し部３１がその長さ方向に絞られて収縮し、右側面部１４（左側面部１３）の上縁部の長さ寸法を小さくすることができる。これによって、鞄１００を閉じたとき、すなわち表面部１１の上縁部と裏面部１２の上縁部を係合させたときに、右側面部１４（左側面部１３）の上縁部が垂れ下がることを防止することができ、収容物のはみ出しを防止することができる。
【００４５】
また、調節紐３２の表面部１１側の端部が右側面部１４（左側面部１３）の表面部１１側の端部に止着され、調節紐３２の裏面部１２側の端部が右側面部１４（左側面部１３）の裏面部１２側の端部に止着されているので、右側面部１４（左側面部１３）の上縁部のみを縮めたり伸ばしたりすることができる。すなわち、絞り機構３によって絞っても表面部１１及び裏面部１２は収縮せず、その平面を維持するように構成されており、一般的な鞄の形状となるので、さまざまなシチュエーションに好適に適合させることができる。
【００４６】
なお、ストッパー３４を設けずに、紐延出孔３３に紐延出孔３３の大きさよりも大きい結び目（こぶ）を形成してもよい。
【００４７】
図１及び図２に示すように、左右一対の補強ベルト体４、すなわち左側補強ベルト体４１と、右側補強ベルト体４２は、収容部１の外側面に取り付けられた実質的に伸縮性を有しない帯状体である。左側補強ベルト体４１及び右側補強ベルト体４２は、互いに平行に延在するよう位置している。
【００４８】
以下、代表して左側補強ベルト体４１について説明し、右側補強ベルト体４２については、括弧内に名称及び符号を記す。
【００４９】
左側補強ベルト体４１（右側補強ベルト体４２）は、図１に示すように、一端部４１ａ（一端部４２ａ）が表面部１１の外側面の上部に位置し、図２に示すように他端部４１ｂ（他端部４２ｂ）が裏面部１２の外側面の上部であって、一端部４１ａ（一端部４２ａ）と対峙する位置に位置し、図１及び図２に示すように、一端部４１ａ（一端部４２ａ）と他端部４１ｂ（他端部４２ｂ）との間の中間部が表面部１１、底面部１５及び裏面部１２に巻回されて縫合されることにより取り付けられている。
【００５０】
提げユニット５は、表面部１１の上部及び裏面部１２の上部の少なくとも何れか一方に設けられている。本実施の形態においては、提げユニット５が表面部１１の上部及び裏面部１２の上部に設けられている形態を例示している。提げユニット５は、表面側提げ部５１と、裏面側提げ部５２と、表面側ベルト長さ調整具５３と、裏面側ベルト長さ調整具５４と、表面側留め具５５と、裏面側留め具５６とを含む。
【００５１】
図１に示すように、表面側提げ部５１は、左側補強ベルト体４１の一端部４１ａ及び右側補強ベルト体４２の一端部４２ａを互いに連結する。表面側提げ部５１は、提げベルト体５７を含む。提げベルト体５７は、実質的に伸縮性を有しない帯状体であり、一端部５７ａと他端部５７ｂとの間の中間部に折返し部５７ｃを有する。すなわち、提げベルト体５７の一端部５７ａから延びる部分は、折返し部５７ｃにおいて折り返され、他端部５７ｂに向かうように延在している。提げベルト体５７の一端部５７ａは、右側補強ベルト体４２の一端部４２ａと連続して一体的に形成されている。また、提げベルト体５７の他端部５７ｂは、自由端を構成する。
【００５２】
図２に示すように、裏面側提げ部５２は、左側補強ベルト体４１の他端部４１ｂ及び右側補強ベルト体４２の他端部４２ｂを互いに連結する。裏面側提げ部５２は、提げベルト体５８を含む。提げベルト体５８は、実質的に伸縮性を有しない帯状体であり、一端部５８ａと他端部５８ｂとの間の中間部に折返し部５８ｃを有する。すなわち、提げベルト体５８の一端部５８ａから延びる部分は、折返し部５８ｃにおいて折り返され、他端部５８ｂに向かうように延在している。提げベルト体５８の一端部５８ａは、左側補強ベルト体４１の他端部４１ｂと連続して一体的に形成されている。また、提げベルト体５８の他端部５８ｂは、自由端を構成する。
【００５３】
表面側ベルト長さ調整具５３及び裏面側ベルト長さ調整具５４は、周知のアジャスタ（スライダ）であるが、これに限定されるものではない。
【００５４】
図１に示すように、表面側ベルト長さ調整具５３は、左側補強ベルト体４１の一端部４１ａ（一対の補強ベルト体の一端部のうち他方の補強ベルト体の一端部）に取り付けられている。そして、表面側ベルト長さ調整具５３は、提げベルト体５７の折返し部５７ｃを係止可能である。すなわち、表面側ベルト長さ調整具５３は、提げベルト体５７をその長さ方向の任意の位置にスライド移動させて位置させることができるように構成され、また、表面側ベルト長さ調整具５３を位置させた場所を係止することができるように構成されている。そして、表面側ベルト長さ調整具５３が提げベルト体５７係止する部分において、表面側ベルト長さ調整具５３に向かって下方に延びる提げベルト体５７の一端部５７ａから延びる部分は折り返されて上方に伸延し、他端部５７ｂに向かう。表面側ベルト長さ調整具５３によって折り返された提げベルト体５７の部分が折返し部５７ｃを構成する。
【００５５】
したがって、表面側ベルト長さ調整具５３を提げベルト体５７の一端部５７ａに向かってスライドさせ、提げベルト体５７の一端部５７ａと折返し部５７ｃとの間の長さ寸法が短くなるように表面側ベルト長さ調整具５３の位置を調整することによって、鞄１００を手提げ鞄や後述するリュックサックとしての用途に適した長さに表面側提げ部５１の長さを調整することができる。また、表面側ベルト長さ調整具５３を提げベルト体５７の他端部５７ｂに向かってスライドさせ、提げベルト体５７の一端部５７ａと折返し部５７ｃとの間の長さ寸法が長くなるように表面側ベルト長さ調整具５３の位置を調整することによって、肩掛け鞄（ショルダーバッグ）としての用途に適した長さに表面側提げ部５１の長さを調整することができる。
【００５６】
図２に示すように、裏面側ベルト長さ調整具５４は、右側補強ベルト体４２の他端部４２ｂ（一対の補強ベルト体の他端部のうち他方の補強ベルト体の他端部）に取り付けられている。そして、裏面側ベルト長さ調整具５４は、提げベルト体５８の折返し部５８ｃを係止可能である。裏面側ベルト長さ調整具５４の構成は表面側ベルト長さ調整具５３と同様であるので、その詳細な説明を省略する。
【００５７】
図１に示すように、表面側留め具５５は、例えば、提げベルト体５７の一端部５７ａに取り付けられた環状体であり、提げベルト体５７の他端部５７ｂを挿通可能に構成されている。提げベルト体５７の他端部５７ｂを表面側留め具５５に挿通することにより、提げベルト体５７の他端部５７ｂは、提げベルト体５７の一端部５７ａに留められる。したがって、表面側ベルト長さ調整具５３を提げベルト体５７の一端部５７ａに向かってスライドさせ、提げベルト体５７の一端部５７ａと折返し部５７ｃとの間の長さ寸法が短くなるように表面側ベルト長さ調整具５３の位置を調整した状態において、提げベルト体５７の他端部５７ｂを提げベルト体５７の一端部５７ａに留めることによって、提げベルト体５７の折返し部５７ｃから他端部５７ｂに向かって延びる部分は、提げベルト体５７の一端部５７ａから折返し部５７ｃに向かって延びる部分に重ね合わされ、保持される。これによって、表面側提げ部５１の厚みを厚くすることができ、掴み易いものとすることができる。
【００５８】
図２に示すように、裏面側留め具５６は、例えば、提げベルト体５８の一端部５８ａに取り付けられた環状体であり、提げベルト体５８の他端部５８ｂを挿通可能に構成されている。提げベルト体５８の他端部５８ｂを裏面側留め具５６に挿通することにより、提げベルト体５８の他端部５８ｂは、提げベルト体５８の一端部５８ａに留められる。裏面側留め具５６の構成は、表面側留め具５５と同様であるので、詳細な説明を省略する。
【００５９】
このように、表面側提げ部５１の両端及び裏面側提げ部５２の両端を表面部１１、底面部１５及び裏面部１２に巻き掛けられた左右一対の補強ベルト体（左側補強ベルト体４１及び右側補強ベルト体４２）がそれぞれ接続しており、重量物を運搬した際の収容部１の型崩れを防止することができる。
【００６０】
図２に示すように、左右一対の肩ベルト６は、鞄１００をリュックサックとして用いる際に鞄１００を使用者の肩から提げるためのベルトであり、全体として実質的に伸縮性を有しない帯状体である。左右一対の肩ベルト６は、裏面部１２の外側面に取り付けられている。左右一対の肩ベルト６は、上端部が裏面部１２の外側面且つ後述する肩ベルト収容部７の開口部７ａの近傍に取り付けられ、下端部が裏面部１２の外側面の下部に係脱可能に取り付けられている。本実施の形態において、左右一対の肩ベルト６は、それぞれ肩パット６１と、長さ調整具６２と、連結具６３とを含むものを例示している。
【００６１】
肩パット６１は、クッション性を有する材質であり、鞄１００を使用者の肩から提げたときに、使用者の肩に当接する部分に設けられている。
【００６２】
長さ調整具６２は、対応する肩ベルト６の長さ寸法、すなわち肩ベルト６の両端の間の長さ寸法を調整するための器具である。長さ調整具６２は周知のアジャスタ（スライダ）であるが、これに限定されるものではない。
【００６３】
連結具６３は、対応する肩ベルト６の下端部を裏面部１２の外側面の下部に連結する。連結具６３は、例えば、裏面部１２の外側面の下部の側縁部に設けられた環状体であるリング６３ａと、リング６３ａに係止可能なフック６３ｂとを含む。フック６３ｂには周知の外れ止めが設けられ、フック６３ｂがリング６３ａから不意に外れることを防止している。
【００６４】
肩ベルト収容部７は、裏面部１２の外側に設けられているポケットである。肩ベルト収容部７の開口部７ａは、肩ベルト収容部７の上端に形成されている。したがって、左右一対の肩ベルト６の連結具６３の連結を解除して（フック６３ｂをリング６３ａから取り外して）、上述の通り肩ベルト収容部７の開口部７ａの近傍に取り付けられている左右一対の肩ベルト６を肩ベルト収容部７の内部に収容することができるように構成されている。これによって、肩ベルト６を使用しないときに肩ベルト６が邪魔になることを防止することができる。
【００６５】
次に、鞄１００の使用例を説明する。
【００６６】
［使用例１］
図４に示すように、鞄１００を買い物かご１１０に被せて装着するときは、係合部２の表面側ファスナーエレメント列２２と裏面側ファスナーエレメント列２３とを分離させて（図３参照）、収容部１の開口部１ａを開き、表面部１１及び裏面部１２を買い物かご１１０の一対の短辺側の側面１１２と対峙して位置させ、左側面部１３及び右側面部１４を買い物かご１１０の一対の長辺側の側面１１１と対峙して位置させる。これによって、鞄１００を買い物かご１１０に装着することができる。また、このとき表面部１１、裏面部１２、左側面部１３、及び右側面部１４の上端縁が買い物かご１１０の外側に位置するように、表面部１１、裏面部１２、左側面部１３、及び右側面部１４の上縁部を外側に折り返し、買い物かご１１０の上縁に被せてもよい。これによって、鞄１００の収容部１の開口部１ａの位置がずれることを規制することができ、より確実に鞄１００を買い物かご１１０に装着することができる。よって、鞄１００の中に商品を詰める作業を効率よく行うことができる。
【００６７】
［使用例２］
そして、鞄１００を持ち運ぶときは、図１に示すように、表面側ファスナーエレメント列２２と裏面側ファスナーエレメント列２３とを噛み合わせて、係合部２を係合させる。これによって、収容部１の開口部１ａを閉じることができる。これによって、表面側提げ部５１及び裏面側提げ部５２を使用者の手で持って、鞄１００を手から提げることができ、鞄１００を手提げ鞄として用いることができる。そして、鞄１００を手から提げた状態においては、一対の短辺側の側面である表面部１１又は裏面部１２が鞄１００の幅方向に位置する。したがって、鞄１００の幅方向の端部が提げユニット５（表面側提げ部５１及び裏面側提げ部５２）から幅方向（使用者から見て前後方向）に突出する寸法を小さくすることができ、鞄１００をコンパクトで扱い易いものとすることができる。
【００６８】
なお、表面側提げ部５１及び裏面側提げ部５２が長いときは、図１に示すように、まず、一方の手で表面側ベルト長さ調整具５３を持ち、他方の手で提げベルト体５７の折返し部５７ｃから他端部５７ｂに向かって延びる部分を引き出す。これによって、提げベルト体５７の一端部５７ａから折返し部５７ｃに亘る部分の長さを縮めることができる。次に、一方の手で裏面側ベルト長さ調整具５４を持ち、他方の手で提げベルト体５８の折返し部５８ｃから他端部５８ｂに向かって延びる部分を引き出す。これによって、提げベルト体５８の一端部５８ａから折返し部５８ｃに亘る部分の長さを縮めることができる。次に、提げベルト体５７の他端部５７ｂを表面側留め具５５に留め、提げベルト体５８の他端部５８ｂを裏面側留め具５６に留める。これによって、提げベルト体５７，５８が垂れ下がり見栄えの悪いものとなることを防止することができる。また、提げユニット５の厚みを厚くすることができ、掴み易いものとすることができる。
【００６９】
［使用例３］
図５は、鞄１００の使用例を示す説明図であり、鞄１００を使用者の肩から提げた状態を示す図である。
【００７０】
また、鞄１００は、肩掛け鞄として使用することもできる。鞄１００を肩掛け鞄として使用するときは、図１に示す手提げ鞄として用いる際の形態から、表面側提げ部５１及び裏面側提げ部５２の長さを長くするように調整する。すなわち、表面側留め具５５に留められている提げベルト体５７の他端部５７ｂを表面側留め具５５から取り外し、一方の手で表面側ベルト長さ調整具５３を持ち、他方の手で提げベルト体５７の折返し部５７ｃから一端部５７ａに向かって延びる部分を引き出す。これによって、提げベルト体５７の一端部５７ａから折返し部５７ｃに亘る部分の長さを伸長させることができる。次に、裏面側留め具５６に留められている提げベルト体５８の他端部５８ｂを裏面側留め具５６から取り外し、一方の手で裏面側ベルト長さ調整具５４を持ち、他方の手で提げベルト体５８の折返し部５８ｃから一端部５８ａに向かって延びる部分を引き出す。これによって、提げベルト体５８の一端部５８ａから折返し部５８ｃに亘る部分の長さを伸長させることができる。
【００７１】
これによって、図５に示すように、使用者の一方の肩に表面側提げ部５１及び裏面側提げ部５２を掛け、鞄１００を使用者の肩から提げることができ、鞄１００を肩掛け鞄として用いることができる。そして、鞄１００を肩から提げた状態においては、手から提げた状態と同様に一対の短辺側の側面である表面部１１又は裏面部１２が鞄１００の幅方向に位置する。したがって、鞄１００の幅方向の端部が提げユニット５（表面側提げ部５１及び裏面側提げ部５２）から幅方向（使用者から見て前後方向）に突出する寸法を小さくすることができ、鞄１００をコンパクトで扱い易いものとすることができる。
【００７２】
［使用例４］
図６は、鞄１００の使用例を示す説明図であり、鞄１００を使用者の肩から提げた状態を示す図である。
【００７３】
更に、鞄１００は、リュックサックとして使用することもできる。鞄１００をリュックサックとして使用するときは、図１に示す手提げ鞄として用いる際の形態において、図２に示すように、肩ベルト収容部７から一対の肩ベルト６を取り出した上で、各肩ベルト６のフック６３ｂをリング６３ａに連結し、各肩ベルト６の下端部を裏面部１２の外側面の下部に連結する。これによって、図６に示すように、左右の肩ベルト６をそれぞれ使用者の左右の肩に掛け、鞄１００をリュックサックとして背負うことができる。
【００７４】
そして、鞄１００をリュックサックとして背負った状態においては、手から提げた状態と同様に一対の短辺側の側面である表面部１１又は裏面部１２が鞄１００の幅方向に位置する。したがって、鞄１００の幅方向の端部が提げユニット５（表面側提げ部５１及び裏面側提げ部５２）から幅方向（使用者から見て左右方向）に突出する寸法を小さくすることができ、鞄１００を扱い易いものとすることができる。また、使用者が腕を動かした際に、使用者の上腕と鞄１００の裏面部１２の幅方向の端部との干渉を抑制することができ、鞄１００を扱い易いものとすることができ、鞄１００の装着感を向上させることができる。
【００７５】
そして、鞄１００をリュックサックとして背負ったときは、表面部１１が下方に垂れ下がり、その結果、表面側ファスナーエレメント列２２と裏面側ファスナーエレメント列２３とが離間する方向にスライドファスナー２１が引っ張られるが、スライドファスナー２１の表面側ファスナーエレメント列２２及び裏面側ファスナーエレメント列２３が互いに噛み合っているので、収容物の重さに負けて係合部２が外れ、開口部１ａが不意に開くことを効果的に防止することができる。
【００７６】
［使用例５］
図７は、鞄１００の使用例を示す説明図であり、鞄１００を乗用自動車の座席に吊り下げた取り付けた状態を示す図である。
【００７７】
また、鞄１００は、乗用自動車の座席に吊り下げ、保持することもできる。鞄１００を乗用自動車の座席に吊り下げるときは、表面側提げ部５１及び裏面側提げ部５２を座席５０１のヘッドレストの支柱に掛ける。これによって、鞄１００を乗用自動車の座席に吊り下げることができ、乗用自動車の運転中に鞄１００が転倒することを防止することができる。
【００７８】
［使用例６］
図８は、鞄１００の使用例を示す説明図であり、鞄１００を乗用自動車の座席に架け渡した状態を示す図である。
【００７９】
また、鞄１００は、乗用車の車内に取り付けて、バスケットとして用いることができる。鞄１００をバスケットとして使用するときは、係合部２の表面側ファスナーエレメント列２２と裏面側ファスナーエレメント列２３とを分離させて、収容部１の開口部１ａを開き、図８に示すように、表面側提げ部５１及び裏面側提げ部５２の何れか一方を前列席４０１のヘッドレストの支柱に掛けると共に、他方を後列席４０２のヘッドレストの支柱に掛ける。これによって、鞄１００が前列席４０１と後列席４０２との間に架け渡され、収容部１の開口部１ａが開いた状態で保持される。そして、開口部１ａを介して、物を開口部１ａに収容することができる。
【００８０】
なお、表面側提げ部５１及び裏面側提げ部５２の長さを調整するときは、上記使用例２又は使用例３において述べた手順と同様の手順で提げベルト体５７の折返し部５７ｃから一端部５７ａに向かって延びる部分又は折返し部５７ｃから他端部５７ｂに向かって延びる部分の何れか一方を掴んで引き出す。これらの掴む部分は、何れも表面部１１及び裏面部１２の上端部から上方に延びるように伸延しているので、容易に掴むことができる。よって、表面側提げ部５１及び裏面側提げ部５２の長さの調整を容易に行うことができる。
【００８１】
また、鞄１００の幅方向の端部が提げユニット５（表面側提げ部５１及び裏面側提げ部５２）から幅方向（座席の左右方向）に突出する寸法が小さくなるように構成されているので、収容部１の左側面部１３及び右側面部１４が垂れ下がり、この部分から収容部１に収容されている収容物が脱落することを防ぐことができる。
【００８２】
以上に説明したように、本発明の鞄１００は、提げユニット５を用いて使用者の身体から鞄１００を提げた状態においては、一対の短辺側の側面である表面部１１又は裏面部１２が鞄１００の幅方向に位置する。したがって、鞄１００の幅方向の端部が提げユニット５（表面側提げ部５１及び裏面側提げ部５２）から幅方向に突出する寸法を小さくすることができ、鞄１００を扱い易いものとすることができる。
【００８３】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【符号の説明】
【００８４】
１  収容部
１ａ  開口部
２  係合部
１１  表面部
１２  裏面部
１３  左側面部
１４  右側面部
１５  底面部
５７  提げベルト体
５８  提げベルト体
１００  鞄
１１０  買い物かご
１１１  （買い物かごの）長辺側の側面
１１２  （買い物かごの）短辺側の側面
【図１】
2018068569.tif 000003
【図２】
2018068569.tif 000004
【図３】
2018068569.tif 000005
【図４】
2018068569.tif 000006
【図５】
2018068569.tif 000007
【図６】
2018068569.tif 000008
【図７】
2018068569.tif 000009
【図８】
2018068569.tif 000010
【手続補正書】
【提出日】平成30年3月6日(2018.3.6)
【手続補正１】
【補正対象書類名】特許請求の範囲
【補正対象項目名】全文
【補正方法】変更
【補正の内容】
【特許請求の範囲】
【請求項１】
表面部と、前記表面部と対峙する裏面部と、左右一対の側面部と、前記表面部、前記裏面部及び前記一対の側面部の下端によって囲まれる領域を閉塞する底面部とを有し、店舗内用買い物かごの内側に装着可能な大きさに形成されている収容部と、
前記表面部の上部及び前記裏面部の上部の少なくとも何れか一方に設けられた提げユニットと、
前記表面部の上端部と前記裏面部の上端部とを互いに係合させる係合部と、を備え、
前記店舗内用買い物かごは、平面視略長方形に形成され、一対の長辺側の側面と一対の短辺側の側面を有し、
前記収容部の前記表面部は、前記店舗内用買い物かごの内側に装着したときに前記店舗内用買い物かごの一対の短辺側の側面のうち一方の側面に対峙して位置する部分であり、
前記収容部の前記裏面部は、前記店舗内用買い物かごの内側に装着したときに前記店舗内用買い物かごの一対の短辺側の側面のうち他方の側面に対峙して位置する部分であり、
前記収容部の前記一対の側面部は、前記店舗内用買い物かごの内側に装着したときに前記店舗内用買い物かごの一対の長辺側の側面に対峙して位置する部分である鞄。
【請求項２】
前記表面部及び前記裏面部の上端部の幅寸法は前記一対の側面部の上端部の幅寸法よりも短く形成されている、請求項１に記載の鞄。
【請求項３】
前記収容部の上縁部に設けられた筒状の紐通し部と、前記紐通し部に挿通された調節紐と、前記紐通し部に形成され、前記調節紐が前記紐通し部から延出される紐延出孔と、を有する絞り機構を更に備える、請求項１又は２に記載の鞄。
【請求項４】
前記一対の側面部の上縁部の一端部から他端部に亘る領域にそれぞれ設けられた筒状の一対の紐通し部と、前記一対の紐通し部にそれぞれ挿通された一対の調節紐であって、各前記調節紐は一端部が対応する前記紐通し部の一端部に止着され、他端部が対応する前記紐通し部の他端部に止着されている一対の調整紐と、前記一対の紐通し部の延在方向中央部にそれぞれ形成され、対応する前記調整紐の中間部が対応する前記紐通し部から延出される一対の紐延出孔と、を有する絞り機構を更に備える、請求項１又は２に記載の鞄。
【請求項５】
前記裏面部の外側面に取り付けられている左右一対の肩ベルトを更に備える、請求項１乃至４の何れかに記載の鞄。
【請求項６】
前記裏面部の外側に設けられ、上端に開口部を有する肩ベルト収容部を更に備え、
前記一対の肩ベルトは、各上端部が前記裏面部の外側面且つ前記肩ベルト収容部の前記開口部の近傍に取り付けられ、各下端部が前記裏面部の外側面の下部に係脱可能に取り付けられている、請求項５に記載の鞄。
【請求項７】
前記係合部は、前記表面部の上端縁及び前記裏面部の上端縁に設けられた一対のファスナーエレメント列と、前記一対のファスナーエレメント列を噛合・分離させるスライダとを含むスライドファスナーである、請求項５又は６に記載の鞄。
【請求項８】
一対の補強ベルト体であって、各補強ベルト体は一端部が前記表面部の外側面の上部に位置し、他端部が前記裏面部の外側面の上部に位置し、中間部が前記表面部、前記底面部及び前記裏面部に巻回されて取り付けられている一対の補強ベルト体と、を更に備え、
前記提げユニットは、前記一対の補強ベルト体の前記一端部を互いに連結する表面側提げ部と、前記一対の補強ベルト体の前記他端部を互いに連結する裏面側提げ部と、を含む請求項１乃至７の何れかに記載の鞄。
【請求項９】
互いに平行に延在する左右一対の補強ベルト体であって、各補強ベルト体は一端部が前記表面部の外側面の上部に位置し、他端部が前記裏面部の外側面の上部且つ前記一端部と対峙する位置に位置し、中間部が前記表面部、前記底面部及び前記裏面部に巻回されて取り付けられている一対の補強ベルト体と、を更に備え、
前記提げユニットは、前記一対の補強ベルト体の前記一端部を互いに連結する表面側提げ部と、前記一対の補強ベルト体の前記他端部を互いに連結する裏面側提げ部と、を含む請求項１乃至７の何れかに記載の鞄。
【請求項１０】
前記一対の補強ベルト体の前記一端部及び前記他端部の少なくとも何れか一方の間隔は、前記店舗内用買い物かごの一対の短辺側の側面の幅寸法よりも狭い、請求項８又は９に記載の鞄。
【請求項１１】
前記表面側提げ部は、中間部に折返し部を有する提げベルト体を含み、該提げベルト体の一端部が前記一対の補強ベルト体の前記一端部のうち一方の前記補強ベルト体の前記一端部と一体的に形成され、
前記裏面側提げ部は、中間部に折返し部を有する提げベルト体を含み、該提げベルト体の一端部が前記一対の補強ベルト体の前記他端部のうち一方の前記補強ベルト体の前記他端部と一体的に形成され、
前記提げユニットは、前記一対の補強ベルト体の前記一端部のうち他方の前記補強ベルト体の前記一端部に取り付けられ、前記表面側提げ部の前記折返し部を係止可能である表面側ベルト長さ調整具と、前記一対の補強ベルト体の前記他端部のうち他方の前記補強ベルト体の前記他端部に取り付けられ、前記裏面側提げ部の前記折返し部を係止可能である裏面側ベルト長さ調整具と、を更に含む、請求項８乃至１０の何れかに記載の鞄。
【請求項１２】
前記提げユニットは、前記表面側提げ部及び前記裏面側提げ部の前記提げベルト体の他端部を該提げベルト体の一端部に留める留め具を更に含む、請求項１１に記載の鞄。